(57)【特許請求の範囲】
【請求項１】
受付番号発行機と携帯端末機とを備える受付番号発行システムであって、
前記受付番号発行機は、前記携帯端末機に対して受付番号データと待ち人数データとを送信可能であり、
前記携帯端末機は、前記受付番号発行機から受信した受付番号データと待ち人数データとを表示可能であり、
前記受付番号発行機は、発行機通信回路を備え、
前記携帯端末機は、前記発行機通信回路に近接することにより通信可能となる端末機通信回路を備えており、
前記携帯端末機は、前記端末機通信回路で前記発行機通信回路と通信して前記受付番号発行機から受付番号データと待ち人数データとを受信し、
前記携帯端末機は、前記端末機通信回路で前記発行機通信回路と通信して前記受付番号発行機に顧客ＩＤを送信し、
前記受付番号発行機は、前記発行機通信回路で前記端末機通信回路と通信して前記携帯端末機から顧客ＩＤを受信し、
前記受付番号発行機が複数相互に通信可能に設けられ、
複数の前記受付番号発行機のうち、予め選択された１台が親機に、他は子機になり、
前記親機は、該親機および前記子機のすべてについて、前記発行機通信回路で前記端末機通信回路と通信して前記携帯端末機から受信した顧客ＩＤと、当該受信時点で受け付け待ちとなっている受付番号データとを関連付けて記憶し、当該受付番号データを未処理の受付番号データ列に記憶するとともに、当該受信時点での待ち人数データに１を加算し、
顧客に提供可能な各種のデータを記憶する提供情報データベースを有し、
前記未処理の受付番号データ列に対応して記憶された顧客ＩＤに基づいて、待ち人数データが予め定められた人数以上の顧客ＩＤの通信アドレスに対して、前記提供情報データベースのデータの一部を発信することを特徴とする受付番号発行システム。
【請求項２】
受付窓口に設けられて、新たな受付番号データを呼び出す際に操作される呼出操作機と、
受付番号データを、番号表示および音声呼び出しのうちの少なくともいずれか一方で報知する受付番号呼出機と、を有し、
前記呼出操作機に呼出操作がなされると、前記親機は、前記未処理の受付番号データ列から一つの受付番号データを選択して前記受付番号呼出機に送信するとともに前記待ち人数データから１を減算し、
前記受付番号呼出機は、受信した前記一つの受付番号データを、番号表示および音声呼び出しのうちの少なくともいずれか一方で報知することを特徴とする請求項１記載の受付番号発行システム。
【請求項３】
受付番号発行機と携帯端末機とを備える受付番号発行システムであって、
前記受付番号発行機は、前記携帯端末機に対して受付番号データと待ち人数データとを送信可能であり、
前記携帯端末機は、前記受付番号発行機から受信した受付番号データと待ち人数データとを表示可能であり、
前記受付番号発行機は、発行機通信回路を備え、
前記携帯端末機は、前記発行機通信回路に近接することにより通信可能となる端末機通信回路を備えており、
前記携帯端末機は、前記端末機通信回路で前記発行機通信回路と通信して前記受付番号発行機から受付番号データと待ち人数データとを受信し、
前記携帯端末機は、前記端末機通信回路で前記発行機通信回路と通信して前記受付番号発行機に顧客ＩＤを送信し、
前記受付番号発行機は、前記発行機通信回路で前記端末機通信回路と通信して前記携帯端末機から顧客ＩＤを受信し、
前記受付番号発行機と通信可能な管理機を有し、
該管理機は、前記受付番号発行機が前記発行機通信回路と前記端末機通信回路との通信で前記携帯端末機から受信した顧客ＩＤと、当該受信時点で受け付け待ちとなっている受付番号データとを関連付けて記憶し、当該受付番号データを未処理の受付番号データ列に記憶するとともに、当該受信時点での待ち人数データに１を加算し、
顧客に提供可能な各種のデータを記憶する提供情報データベースを有し、
前記未処理の受付番号データ列に対応して記憶された顧客ＩＤに基づいて、待ち人数データが予め定められた人数以上の顧客ＩＤの通信アドレスに対して、前記提供情報データベースのデータの一部を発信することを特徴とする受付番号発行システム。
【請求項４】
受付窓口に設けられて、新たな受付番号データを呼び出す際に操作される呼出操作機と、
受付番号データを、番号表示および音声呼び出しのうちの少なくともいずれか一方で報知する受付番号呼出機と、を有し、
前記呼出操作機に呼出操作がなされると、前記管理機は、前記未処理の受付番号データ列から一つの受付番号データを選択して前記受付番号呼出機に送信するとともに前記待ち人数データから１を減算し、
前記受付番号呼出機は、受信した前記一つの受付番号データを、番号表示および音声呼び出しのうちの少なくともいずれか一方で報知することを特徴とする請求項３記載の受付番号発行システム。
【請求項５】
前記呼出操作機は、任意の受付番号データを入力可能に構成されており、
前記受付番号呼出機は、前記呼出操作機に入力された任意の受付番号データを、番号表示および音声呼び出しのうちの少なくともいずれか一方で報知することを特徴とする請求項２または４記載の受付番号発行システム。
【請求項６】
前記呼出操作機が、受付窓口毎に設けられていることを特徴とする請求項２，４，５のいずれか一項記載の受付番号発行システム。
【請求項７】
前記受付番号呼出機が、複数台配置されていることを特徴とする請求項２，４，５，６のいずれか一項記載の受付番号発行システム。
【請求項８】
前記顧客ＩＤ毎に前記携帯端末機の通信アドレスを記憶する顧客情報データベースと、
前記未処理の受付番号データ列に対応して記憶された顧客ＩＤに基づいて、前記顧客情報データベースに記憶された通信アドレスに対して待ち人数データを発信する発信部と、
該発信部を制御する発信制御部とを有することを特徴とする請求項１ないし７のいずれか一項記載の受付番号発行システム。
【請求項９】
前記発信制御部は、待ち人数データが予め定められた人数に達した前記未処理の受付番号データに対して、当該受付番号データに関連付けられた顧客ＩＤに基づいて前記顧客情報データベースに記憶された通信アドレスを選択して、当該通信アドレスに対して前記発信部により待ち人数データを発信させることを特徴とする請求項８記載の受付番号発行システム。
【請求項１０】
前記顧客ＩＤ毎に前記携帯端末機の通信アドレスを含む顧客情報を記憶する顧客情報データベースを有し、
前記未処理の受付番号データ列に対応して記憶された顧客ＩＤに対する受付番号データと顧客情報とを、前記管理機に表示させることを特徴とする請求項３または４記載の受付番号発行システム。
【請求項１１】
前記提供情報データベースのデータの一部として、前記顧客ＩＤに応じたデータを発信することを特徴とする請求項１ないし１０のいずれか一項記載の受付番号発行システム。
【発明の詳細な説明】
【技術分野】
【０００１】
本発明は、受付番号発行システムに関する。
【背景技術】
【０００２】
銀行等の金融機関において窓口に顧客を案内する窓口呼出装置がある。窓口呼出装置は、基本的に、窓口での処理を希望する顧客に受付番号が印刷された受付票を発券するようになっている（例えば、特許文献１参照）。
【先行技術文献】
【特許文献】
【０００３】
【特許文献１】特開２０１０−１０８０３４号公報
【発明の概要】
【発明が解決しようとする課題】
【０００４】
上記のように受付票を発券するものであると、用紙代やインク代等が必要でありランニングコストが高くなってしまう。また、自然環境への影響を低減する考えから、廃棄する用紙の量を低減することが求められている。
【０００５】
したがって、本発明は、ランニングコストを低減でき、自然環境への影響を低減できる受付番号発行システムの提供を目的とする。
【課題を解決するための手段】
【０００６】
上記目的を達成するために、請求項１に係る発明は、受付番号発行機と携帯端末機とを備える受付番号発行システムであって、前記受付番号発行機は、前記携帯端末機に対して受付番号データと待ち人数データとを送信可能であり、前記携帯端末機は、前記受付番号発行機から受信した受付番号データと待ち人数データとを表示可能であり、前記受付番号発行機は、発行機通信回路を備え、前記携帯端末機は、前記発行機通信回路に近接することにより通信可能となる端末機通信回路を備えており、前記携帯端末機は、前記端末機通信回路で前記発行機通信回路と通信して前記受付番号発行機から受付番号データと待ち人数データとを受信し、前記携帯端末機は、前記端末機通信回路で前記発行機通信回路と通信して前記受付番号発行機に顧客ＩＤを送信し、前記受付番号発行機は、前記発行機通信回路で前記端末機通信回路と通信して前記携帯端末機から顧客ＩＤを受信し、前記受付番号発行機が複数相互に通信可能に設けられ、複数の前記受付番号発行機のうち、予め選択された１台が親機に、他は子機になり、前記親機は、該親機および前記子機のすべてについて、前記発行機通信回路で前記端末機通信回路と通信して前記携帯端末機から受信した顧客ＩＤと、当該受信時点で受け付け待ちとなっている受付番号データとを関連付けて記憶し、当該受付番号データを未処理の受付番号データ列に記憶するとともに、当該受信時点での待ち人数データに１を加算し、顧客に提供可能な各種のデータを記憶する提供情報データベースを有し、前記未処理の受付番号データ列に対応して記憶された顧客ＩＤに基づいて、待ち人数データが予め定められた人数以上の顧客ＩＤの通信アドレスに対して、前記提供情報データベースのデータの一部を発信することを特徴とする。
【００１３】
請求項２に係る発明は、請求項１に係る発明において、受付窓口に設けられて、新たな受付番号データを呼び出す際に操作される呼出操作機と、受付番号データを、番号表示および音声呼び出しのうちの少なくともいずれか一方で報知する受付番号呼出機と、を有し、前記呼出操作機に呼出操作がなされると、前記親機は、前記未処理の受付番号データ列から一つの受付番号データを選択して前記受付番号呼出機に送信するとともに前記待ち人数データから１を減算し、前記受付番号呼出機は、受信した前記一つの受付番号データを、番号表示および音声呼び出しのうちの少なくともいずれか一方で報知することを特徴とする。
【００１４】
請求項３に係る発明は、受付番号発行機と携帯端末機とを備える受付番号発行システムであって、前記受付番号発行機は、前記携帯端末機に対して受付番号データと待ち人数データとを送信可能であり、前記携帯端末機は、前記受付番号発行機から受信した受付番号データと待ち人数データとを表示可能であり、前記受付番号発行機は、発行機通信回路を備え、前記携帯端末機は、前記発行機通信回路に近接することにより通信可能となる端末機通信回路を備えており、前記携帯端末機は、前記端末機通信回路で前記発行機通信回路と通信して前記受付番号発行機から受付番号データと待ち人数データとを受信し、前記携帯端末機は、前記端末機通信回路で前記発行機通信回路と通信して前記受付番号発行機に顧客ＩＤを送信し、前記受付番号発行機は、前記発行機通信回路で前記端末機通信回路と通信して前記携帯端末機から顧客ＩＤを受信し、前記受付番号発行機と通信可能な管理機を有し、該管理機は、前記受付番号発行機が前記発行機通信回路と前記端末機通信回路との通信で前記携帯端末機から受信した顧客ＩＤと、当該受信時点で受け付け待ちとなっている受付番号データとを関連付けて記憶し、当該受付番号データを未処理の受付番号データ列に記憶するとともに、当該受信時点での待ち人数データに１を加算し、顧客に提供可能な各種のデータを記憶する提供情報データベースを有し、前記未処理の受付番号データ列に対応して記憶された顧客ＩＤに基づいて、待ち人数データが予め定められた人数以上の顧客ＩＤの通信アドレスに対して、前記提供情報データベースのデータの一部を発信することを特徴とする。
【００１５】
請求項４に係る発明は、請求項３に係る発明において、受付窓口に設けられて、新たな受付番号データを呼び出す際に操作される呼出操作機と、受付番号データを、番号表示および音声呼び出しのうちの少なくともいずれか一方で報知する受付番号呼出機と、を有し、前記呼出操作機に呼出操作がなされると、前記管理機は、前記未処理の受付番号データ列から一つの受付番号データを選択して前記受付番号呼出機に送信するとともに前記待ち人数データから１を減算し、前記受付番号呼出機は、受信した前記一つの受付番号データを、番号表示および音声呼び出しのうちの少なくともいずれか一方で報知することを特徴とする。
【００１７】
請求項５に係る発明は、請求項２または４に係る発明において、前記呼出操作機は、任意の受付番号データを入力可能に構成されており、前記受付番号呼出機は、前記呼出操作機に入力された任意の受付番号データを、番号表示および音声呼び出しのうちの少なくともいずれか一方で報知することを特徴とする。
【００１８】
請求項６に係る発明は、請求項２，４，５のいずれか一項に係る発明において、前記呼出操作機が、受付窓口毎に設けられていることを特徴とする。
【００１９】
請求項７に係る発明は、請求項２，４，５，６に係る発明において、前記受付番号呼出機が、複数台配置されていることを特徴とする。
【００２０】
請求項８に係る発明は、請求項１ないし７のいずれか一項に係る発明において、前記顧客ＩＤ毎に前記携帯端末機の通信アドレスを記憶する顧客情報データベースと、前記未処理の受付番号データ列に対応して記憶された顧客ＩＤに基づいて、前記顧客情報データベースに記憶された通信アドレスに対して待ち人数データを発信する発信部と、該発信部を制御する発信制御部とを有することを特徴とする。
【００２１】
請求項９に係る発明は、請求項８に係る発明において、前記発信制御部は、待ち人数データが予め定められた人数に達した前記未処理の受付番号データに対して、当該受付番号データに関連付けられた顧客ＩＤに基づいて前記顧客情報データベースに記憶された通信アドレスを選択して、当該通信アドレスに対して前記発信部により待ち人数データを発信させることを特徴とする。
【００２２】
請求項１０に係る発明は、請求項３または４に係る発明において、前記顧客ＩＤ毎に前記携帯端末機の通信アドレスを含む顧客情報を記憶する顧客情報データベースを有し、前記未処理の受付番号データ列に対応して記憶された顧客ＩＤに対する受付番号データと顧客情報とを、前記管理機に表示させることを特徴とする。
【００２４】
請求項１１に係る発明は、請求項１ないし１０のいずれか一項に係る発明において、前記提供情報データベースのデータの一部として、前記顧客ＩＤに応じたデータを発信することを特徴とする。
【発明の効果】
【００２５】
請求項１に係る発明によれば、受付番号発行機が携帯端末機に対して受付番号データと待ち人数データとを送信すると、携帯端末機が受付番号発行機から受信した受付番号データと待ち人数データとを表示する。よって、受付番号票を発券する場合と比べて用紙代やインク代等のランニングコストを低減できる。また、廃棄される使用済みの受付番号票を低減できるため、自然環境への影響も低減できる。
【００２７】
また、携帯端末機は、その端末機通信回路が、受付番号発行機の発行機通信回路に近接させられると発行機通信回路と通信可能となって受付番号発行機から、受付番号データと待ち人数データとを受信する。よって、携帯端末機を受付番号発行機に近接させるという簡単な操作で、携帯端末機は受付番号発行機から受付番号データと待ち人数データとを受信することができる。
【００２８】
また、携帯端末機は、その端末機通信回路が、受付番号発行機の発行機通信回路に近接させられると発行機通信回路と通信可能となって受付番号発行機に顧客ＩＤを送信する。よって、携帯端末機を受付番号発行機に近接させるという簡単な操作で、受付番号発行機は携帯端末機から顧客ＩＤを受信することができる。
【００２９】
また、複数の受付番号発行機のうち、予め選択された１台の親機となる受付番号発行機が、この親機および他の子機のすべてについて、発行機通信回路で携帯端末機の端末機通信回路と通信して携帯端末機から受信した顧客ＩＤと、この受信時点で受け付け待ちとなっている受付番号データとを関連付けて記憶し、この受付番号データを未処理の受付番号データ列に記憶するとともに、この受信時点での待ち人数データに１を加算する。親機となる受付番号発行機は、このように簡単な制御で、この親機および他の子機のすべてについての携帯端末機から受信した顧客ＩＤを管理して次の顧客ＩＤの受信に備えることになる。複数の受付番号発行機がそれぞれ携帯端末機から受信した顧客ＩＤを、１台の親機となる受付番号発行機で受付番号データに関連付けて記憶することができるため、システムコストを低減することができる。
また、未処理の受付番号データ列に対応して記憶された顧客ＩＤに基づいて、待ち人数データが予め定められた人数以上の顧客ＩＤの通信アドレスに対して、提供情報データベースのデータの一部を発信するため、呼び出しを待っている顧客の携帯端末機に、提供情報データベースのデータの一部を表示させることができる。
【００３２】
請求項２に係る発明によれば、受付窓口に設けられた呼出操作機に呼出操作がなされると、親機が、未処理の受付番号データ列から一つの受付番号データを選択して受付番号呼出機に送信するとともに待ち人数データから１を減算する。受付番号呼出機は、受信した一つの受付番号データを、番号表示および音声呼び出しのうちの少なくともいずれか一方で報知する。これにより、この受付番号データが携帯端末機に表示されている顧客を、受付番号呼出機で呼び出すとともに呼び出しに応じて待ち人数データを減らすことができる。
【００３３】
請求項３に係る発明によれば、受付番号発行機が携帯端末機に対して受付番号データと待ち人数データとを送信すると、携帯端末機が受付番号発行機から受信した受付番号データと待ち人数データとを表示する。よって、受付番号票を発券する場合と比べて用紙代やインク代等のランニングコストを低減できる。また、廃棄される使用済みの受付番号票を低減できるため、自然環境への影響も低減できる。
また、携帯端末機は、その端末機通信回路が、受付番号発行機の発行機通信回路に近接させられると発行機通信回路と通信可能となって受付番号発行機から、受付番号データと待ち人数データとを受信する。よって、携帯端末機を受付番号発行機に近接させるという簡単な操作で、携帯端末機は受付番号発行機から受付番号データと待ち人数データとを受信することができる。
また、携帯端末機は、その端末機通信回路が、受付番号発行機の発行機通信回路に近接させられると発行機通信回路と通信可能となって受付番号発行機に顧客ＩＤを送信する。よって、携帯端末機を受付番号発行機に近接させるという簡単な操作で、受付番号発行機は携帯端末機から顧客ＩＤを受信することができる。
また、受付番号発行機が発行機通信回路と端末機通信回路との通信で携帯端末機から顧客ＩＤを受信すると、管理機は、この顧客ＩＤと、この受信時点で受け付け待ちとなっている受付番号データとを関連付けて記憶し、この受付番号データを未処理の受付番号データ列に記憶するとともに、この受信時点での待ち人数データに１を加算する。管理機は、このように簡単な制御で、受付番号発行機が携帯端末機から受信した顧客ＩＤを管理して次の顧客ＩＤの受信に備えることになる。
また、未処理の受付番号データ列に対応して記憶された顧客ＩＤに基づいて、待ち人数データが予め定められた人数以上の顧客ＩＤの通信アドレスに対して、提供情報データベースのデータの一部を発信するため、呼び出しを待っている顧客の携帯端末機に、提供情報データベースのデータの一部を表示させることができる。
【００３４】
請求項４に係る発明によれば、受付窓口に設けられた呼出操作機に呼出操作がなされると、管理機が、未処理の受付番号データ列から一つの受付番号データを選択して受付番号呼出機に送信するとともに待ち人数データから１を減算する。受付番号呼出機は、受信した一つの受付番号データを、番号表示および音声呼び出しのうちの少なくともいずれか一方で報知する。これにより、この受付番号データが携帯端末機に表示されている顧客を、受付番号呼出機で呼び出すとともに呼び出しに応じて待ち人数データを減らすことができる。
【００３６】
請求項５に係る発明によれば、呼出操作機で任意の受付番号データが入力されると、受付番号呼出機は、この入力された任意の受付番号データを番号表示および音声呼び出しのうちの少なくともいずれか一方で報知する。よって、受付順とは無関係に任意の受付番号データを優先して呼び出すことができる。
【００３７】
請求項６に係る発明によれば、呼出操作機が、受付窓口毎に設けられているため、受付窓口毎に呼出操作が入力可能になり、窓口係員による呼出操作が容易となる。
【００３８】
請求項７に係る発明によれば、受付番号呼出機が複数台配置されているため、顧客が受付番号の呼び出し表示を見逃してしまう可能性を低減できる。
【００３９】
請求項８に係る発明によれば、発信部が、未処理の受付番号データ列に対応して記憶された顧客ＩＤに基づいて、顧客情報データベースに記憶された通信アドレスに対して待ち人数データを発信するため、携帯端末機に最新の待ち人数データを表示させることができる。
【００４０】
請求項９に係る発明によれば、待ち人数データが予め定められた人数に達した未処理の受付番号データに関連付けられた顧客ＩＤに基づいて通信アドレスを選択して待ち人数データを発信させることになるため、携帯端末機における更新された待ち人数データの受信の頻度を減らすことができる。
【００４１】
請求項１０に係る発明によれば、未処理の受付番号データ列に対応して記憶された顧客ＩＤに対する受付番号データと顧客情報とを管理機に表示させるため、この顧客情報に基づいて係員が個別に対応する等のサービスが可能になる。
【００４３】
請求項１１に係る発明によれば、未処理の受付番号データ列に対応して記憶された顧客ＩＤに基づいて、待ち人数データが予め定められた人数以上の顧客ＩＤの通信アドレスに対して、提供情報データベースのデータのうちの顧客ＩＤに応じた情報を発信するため、呼び出しを待っている顧客の携帯端末機に、提供情報データベースのデータの中から顧客ＩＤに応じたデータを表示させることができる。よって、呼び出しを待っている顧客の携帯端末機に、この顧客に合ったデータを表示させることができる。
【図面の簡単な説明】
【００４４】
【図１】本発明に係る第１実施形態の受付番号発行システムを示す構成図である。
【図２】本発明に係る第１実施形態の受付番号発行システムを示すブロック図である。
【図３】本発明に係る第１実施形態の受付番号発行システムの受付番号発行時の携帯端末機の表示内容を示す正面図である。
【図４】本発明に係る第２実施形態の受付番号発行システムを示す構成図である。
【図５】本発明に係る第２実施形態の受付番号発行システムを示すブロック図である。
【発明を実施するための形態】
【００４５】
「第１実施形態」
本発明に係る第１実施形態の受付番号発行システム１１を図１〜図３を参照して以下に説明する。第１実施形態の受付番号発行システム１１は、銀行等の金融機関の店舗の出入口と受付窓口との間に設置される受付番号発行機１２と、顧客が個々に所有するスマートフォン等の携帯端末機１３と、金融機関の店舗の受付窓口に設置される複数の呼出操作機１４と、同じく受付窓口に設置される複数の受付番号呼出機１５と、図２に示す顧客情報データベース１６と、提供情報データベース１７とから構成されるものである。
【００４６】
受付番号発行機１２は、顧客による操作入力を受け付ける発行機操作部２１と、モニタ表示を行う発行機表示部２２と、音声を発生させる発行機音声発生部２３と、用紙に受付番号データを印字して発券するプリンタ２４と、近距離無線通信を行うための発行機送受信部２５を含む発行機通信回路２６と、携帯端末機１３の通信アドレスに対してデータを発信する発行機発信部２７（発信部）と、これらを制御する発行機制御部２８（発信制御部）と、を有している。
【００４７】
携帯端末機１３は、操作入力を受け付けるとともに画面表示を行うタッチパネル式の端末機操作表示部４１と、音声を発生させる端末機音声発生部４２と、振動を発生させる端末機振動発生部４３と、近距離無線通信を行うための端末機送受信部４４を含む端末機通信回路４５と、これらを制御する端末機制御部４６と、を有している。端末機通信回路４５は、読み書き可能な記憶媒体であるＩＣチップ４７を含んでいる。
【００４８】
顧客は、例えば金融機関の口座の開設にあたって、支店および科目を指定し、氏名、生年月日、性別、住所、電話番号、携帯端末機１３の通信アドレス等を登録する。すると、金融機関側では、指定の支店および科目の所定の口座番号を有する口座を開設し顧客ＩＤを設定する。金融機関側では、これらの支店名、科目および口座番号等の口座情報と、顧客の氏名、生年月日、性別、住所、電話番号および携帯端末機１３の通信アドレス等の個人情報と、預金残高、現在の資産運用および過去の資産運用等の運用情報と、顧客ＩＤの情報とを関連付けて顧客情報データベース１６に記憶する。言い換えれば、この顧客情報データベース１６は顧客ＩＤ毎に、上記の口座情報と、携帯端末機１３の通信アドレスを含む上記の個人情報と、上記の運用情報とからなる顧客情報を記憶している。
【００４９】
提供情報データベース１７は、顧客に提供可能な各種のデータ、例えば、店舗の営業日の情報、ローン相談会等のイベント情報、投資商品等の資産運用商品、保険商品等のデータを記憶している。
【００５０】
携帯端末機１３の端末機制御部４６には、受付番号発行システム１１を構成するためのアプリケーションプログラムが予め記憶されており、顧客ＩＤが予め記憶されている。顧客は、携帯端末機１３を用いて例えば金融機関のホームページにインターネット経由でアクセスし、予めこのホームページからインターネット経由でアプリケーションプログラムを携帯端末機１３にダウンロードし記憶する。その際に、顧客が金融機関側から提示された顧客ＩＤを入力すると、顧客ＩＤが端末機制御部４６および端末機通信回路４５のＩＣチップ４７に記憶される。
【００５１】
複数の呼出操作機１４は、金融機関の店舗の複数の受付窓口のカウンタにそれぞれ一台ずつ設置されており、いずれも受付番号発行機１２の発行機制御部２８に通信可能に接続されている。複数の呼出操作機１４は、それぞれ対応配置された受付窓口の窓口係員により新たな受付番号データを呼び出す際に操作される。
【００５２】
複数の受付番号呼出機１５は、複数の受付窓口のカウンタにそれぞれ一台ずつ設置されており、いずれも受付番号発行機１２の発行機制御部２８に通信可能に接続されている。受付番号呼出機１５は、受付番号データを番号表示で報知する番号表示部５１と、受付番号データを音声呼び出しで報知する音声出力部５２とを有している。受付番号呼出機１５は、受付番号データを、番号表示および音声呼び出しのうちの設定された少なくともいずれか一方で報知する。ここで、受付番号呼出機１５を、受付窓口にそれぞれ一台ずつ設置するのではなく、複数の受付窓口で一台を共用するようにしても良い。この場合には、受付番号呼出機１５が受付番号データと呼び出した受付窓口の窓口番号データとを報知することになる。
【００５３】
携帯端末機１３の端末機操作表示部４１の図３（ａ）に示すホーム画面は、受付番号発行システム１１を構成するためのアプリケーションプログラムの「○○銀行」のテキスト表示を含むアイコンＡを含んでいる。このアイコンＡがタップ（タッチ操作）されたことを端末機操作表示部４１が検知すると、端末機制御部４６は、図３（ｂ）に示すこのアプリケーションプログラムの初期画面を端末機操作表示部４１に表示させる。この初期画面は、受付番号を取得するための「受付ＬＩＮＫ」のテキスト表示を含むアイコンＢを含んでいる。このアイコンＢがタップされたことを端末機操作表示部４１が検知すると、端末機制御部４６は、受付番号発行機１２の発行機送受信部２５に携帯端末機１３を近接させるように案内する表示を端末機操作表示部４１に表示させる。具体的には、図３（ｃ）に示すように、携帯端末機１３を発行機送受信部２５に近接させる動作を模式的に示す図と、「お客様の受付をしますのでスマートフォンを受付番号発行機の「ＩＣ」にタッチして下さい」というテキスト表示とを端末機操作表示部４１に表示させる。図１に示すように受付番号発行機１２の「ＩＣ」のテキスト表示は発行機送受信部２５の位置に表示されている。
【００５４】
端末機操作表示部４１のこれらの表示を見て、顧客は、受付番号発行機１２の発行機送受信部２５に、携帯端末機１３を近接させる。これにより、受付番号発行機１２の発行機通信回路２６の発行機送受信部２５と携帯端末機１３の端末機通信回路４５の端末機送受信部４４とが無線通信可能な所定距離まで近接することになる。言い換えれば、この所定距離を超えている状態では発行機送受信部２５と端末機送受信部４４とは無線通信不可となっている。受付番号発行機１２の発行機通信回路２６と携帯端末機１３の端末機通信回路４５とが無線通信可能な状態となると、携帯端末機１３は、端末機通信回路４５で発行機通信回路２６と無線で通信してＩＣチップ４７に記憶された顧客ＩＤを発行機制御部２８に送信する。
【００５５】
なお、携帯端末機１３は、主電源のオフ状態、端末機操作表示部４１に図３（ａ）に示すホーム画面を表示させている状態、端末機操作表示部４１に受付番号発行システム１１を構成するためのアプリケーションプログラムの図３（ｂ）に示す初期画面を表示させている状態、および他のアプリケーションプログラムの実行中の状態のいずれであっても、受付番号発行機１２の発行機通信回路２６と携帯端末機１３の端末機通信回路４５とが無線通信可能な状態となると、携帯端末機１３は、端末機通信回路４５で発行機通信回路２６と無線で通信して発行機制御部２８に顧客ＩＤを送信する。
【００５６】
このように発行機通信回路２６で端末機通信回路４５と無線で通信してＩＣチップ４７から顧客ＩＤを受信すると、発行機制御部２８は、この顧客ＩＤと、この受信時点で受け付け待ちとなっている受付番号データとを関連付けて記憶し、この受付番号データを未処理の受付番号データ列に記憶して、この受信時点での受付番号データと待ち人数データとを発行機通信回路２６で端末機通信回路４５と無線で通信して端末機制御部４６に送信するとともに、この受信時点での受付番号データと待ち人数データとにそれぞれ１を加算する。
【００５７】
携帯端末機１３の端末機制御部４６は、端末機通信回路４５で発行機通信回路２６と無線で通信して発行機制御部２８から受付番号データと待ち人数データとを受信すると、図３（ｄ）に示すように、受付番号発行機１２から受信した受付番号データを、端末機操作表示部４１の「お客様の受付番号」のテキスト表示の近傍の受付番号データ表示域Ｃに、待ち人数データを、「現在の待ち人数」のテキスト表示の近傍の端末機操作表示部４１の待ち人数データ表示領域Ｄに表示させる。
【００５８】
例えば、それまでに「１１番」の受付番号データまでが呼び出し済みであって、「１２番」の受付番号データの待ち人数データが、自分を含まない「０人」の待ち人数データであり、「１３番」の受付番号データの待ち人数データが、自分を含まない「１人」の待ち人数データであり、「１４番」の受付番号データの待ち人数データが、自分を含まない「２人」の待ち人数データであって、これらの受付番号データが既に発行済みで呼び出しを待機しているとする。すると、発行機制御部２８において、「１５番」の受付番号データが受け付け待ちであり、受け付け待ちの待ち人数データは「３人」であって、これらを受付番号発行機１２の発行機表示部２２に表示させている。
【００５９】
この時点で、端末機通信回路４５のＩＣチップ４７から顧客ＩＤを受信すると、発行機制御部２８は、この顧客ＩＤと、この受信時点で受け付け待ちとなっている「１５番」の受付番号データとを関連付けて記憶し、この「１５番」の受付番号データをそれまでの「１２番」、「１３番」、「１４番」の未処理の受付番号データ列に記憶して、「１２番」、「１３番」、「１４番」、「１５番」の未処理の受付番号データ列とする。また、この「１５番」の受付番号データと「３人」の待ち人数データとを端末機制御部４６に送信するとともに、「１５番」の受付番号データに１を加算して「１６番」を受け付け待ちの受付番号データとし、「３人」の待ち人数データに１を加算して「４人」を受け付け待ちの待ち人数データとして、これらを受付番号発行機１２の発行機表示部２２に表示させる。
【００６０】
携帯端末機１３の端末機制御部４６は、発行機制御部２８から「１５番」受付番号データと「３人」の待ち人数データとを受信すると、図３（ｄ）に示すように、「１５番」の受付番号データを「お客様の受付番号」のテキスト表示とともに端末機操作表示部４１に表示させ、「３人」の待ち人数データを「現在の待ち人数」および「待ち人数の目安をお知らせいたします」のテキスト表示とともに端末機操作表示部４１に表示させる。
【００６１】
発行機制御部２８は、上記とは別に発行機操作部２１が操作されると、操作時点での受け付け待ちの受付番号データと受け付け待ちの待ち人数データとをプリンタ２４で用紙に印字して発券するとともに、この受付番号データを未処理の受付番号データ列に記憶して、これら受付番号データと待ち人数データとにそれぞれ１を加算する。つまり、携帯端末機１３での受け付けを行わない顧客に対しては、従来と同様に受付番号票を発券する。
【００６２】
窓口係員によって呼出操作機１４に呼出操作がなされると、呼出操作機１４は、この呼出操作機１４の識別を含む操作信号を受付番号発行機１２の発行機制御部２８に送信する。すると、発行機制御部２８は、未処理の受付番号データ列から所定のルールで一つの受付番号データを選択して、この呼出操作機１４の識別に対応する受付番号呼出機１５に送信するとともに、この一つの受付番号データを未処理の受付番号データ列から削除し、待ち人数データから１を減算して更新する。
【００６３】
ここで、一つの受付番号データを選択する所定のルールとは、基本的には受付順である。なお、科目別に受付窓口が設定されている場合、呼出操作機１４に呼出操作がなされた受付窓口の科目の受付順となる。この場合、科目別に使用する受付番号データの範囲を他と異ならせて顧客に混乱や不快感が生じないようにする。あるいは、未処理の受付番号データ列の受付番号データに対応する顧客ＩＤに重要顧客の顧客ＩＤが含まれる場合には、この重要顧客の顧客ＩＤを一般の顧客ＩＤに対して優先させ、重要顧客の顧客ＩＤの受付順とする。この場合も、重要顧客の顧客ＩＤに使用する受付番号データの範囲を他と異ならせて顧客に混乱や不快感が生じないようにする。
【００６４】
発行機制御部２８は、未処理の受付番号データ列を構成する未処理の受付番号データのそれぞれに対応記憶された顧客ＩＤの通信アドレスを顧客情報データベース１６から読み出して、この通信アドレスつまりこの通信アドレスの携帯端末機１３に、更新後の待ち人数データを発行機発信部２７から発信させる。
【００６５】
受付番号呼出機１５は、受信したこの一つの受付番号データを、番号表示部５１による番号表示および音声出力部５２による音声呼び出しのうちの設定された少なくともいずれか一方で報知する。
【００６６】
例えば、「１１番」の受付番号データまでが呼び出し済みであって、「１２番」の受付番号データの待ち人数データが「０人」の待ち人数データであり、「１３番」の受付番号データの待ち人数データが「１人」の待ち人数データであり、「１４番」の受付番号データの待ち人数データが「２人」の待ち人数データであり、「１５番」の受付番号データの待ち人数データが「３人」の待ち人数データであるとする。この状態で操作信号を受信すると、発行機制御部２８は、「１２番」、「１３番」、「１４番」、「１５番」の未処理の受付番号データ列から、最も早く受け付けた「１２番」の受付番号データを選択して、操作信号の識別に対応する受付番号呼出機１５に送信する。
【００６７】
それとともに、発行機制御部２８は、「１２番」、「１３番」、「１４番」、「１５番」の未処理の受付番号データ列から、選択した「１２番」の受付番号データを削除して、「１３番」、「１４番」、「１５番」の未処理の受付番号データ列とし、待ち人数データから１を減算して、「１３番」の受付番号データを「０人」の待ち人数データとし、「１４番」の受付番号データを「１人」の待ち人数データとし、「１５番」の受付番号データを「２人」の待ち人数データとする。
【００６８】
発行機制御部２８は、更新後の未処理の受付番号データ列を構成する「１３番」、「１４番」、「１５番」の未処理の受付番号データのそれぞれに対応記憶された顧客ＩＤの通信アドレスを、顧客情報データベース１６から読み出して、「１３番」の受付番号データに対応する顧客ＩＤの携帯端末機１３に「０人」の待ち人数データを、「１４番」の受付番号データに対応する顧客ＩＤの携帯端末機１３に「１人」の待ち人数データを、「１５番」の受付番号データに対応する顧客ＩＤの携帯端末機１３に「２人」の待ち人数データを、それぞれ電子メールで送信する。端末機操作表示部４１への操作で端末機制御部４６は、受信した電子メールを端末機操作表示部４１に表示させる。この表示を見て顧客は更新された待ち人数データを認識する。
【００６９】
ここで、発行機制御部２８は、更新が生じる都度、未処理の受付番号データのそれぞれに対応記憶された顧客ＩＤの通信アドレスに、待ち人数データを電子メールで送信するようにしても良いが、待ち人数データが予め定められた人数（例えば、１０人、５人、２人、１人、０人）に達した未処理の受付番号データに対して、関連付けられた顧客ＩＤに基づいて顧客情報データベース１６に記憶された通信アドレスを選択して、この通信アドレスに対して発行機発信部２７により待ち人数データを発信させるようにしても良い。これにより、頻繁にメールが送られて顧客が不快に思うことを防止する。メールを送信することになる待ち人数データは、システム固定であっても、顧客の希望に応じて設定可能であっても良く、いずれにおいても、一の待ち人数データでのみメールを送信したり、複数の待ち人数データでメールを送信したりできる。
【００７０】
受付番号呼出機１５は、受信した「１２番」の受付番号データを、番号表示部５１による番号表示および音声出力部５２による音声呼び出しのうちの設定された少なくともいずれか一方で報知する。
【００７１】
ここで、呼出操作機１４は、任意の受付番号データを入力可能に構成されており、受付番号呼出機１５は、呼出操作機１４に入力された任意の受付番号データを、番号表示および音声呼び出しのうちの設定された少なくともいずれか一方で報知するようになっている。例えば、呼出操作機１４に「１００番」の受付番号データが入力されると、この呼出操作機１４と同じ受付窓口に設置された受付番号呼出機１５がこの「１００番」の受付番号データを、番号表示および音声呼び出しのうちの設定された少なくともいずれか一方で報知する。これにより、予め定められたルールがあっても、このルールとは別に任意の受付番号データを呼び出すことができる。なお、このように呼出操作機１４に入力された任意の受付番号データは、発行機制御部２８にも送信されることになり、発行機制御部２８では、この受付番号データを未処理の受付番号データ列から削除するとともに、待ち人数データから１を減算する。
【００７２】
発行機制御部２８は、未処理の受付番号データ列に対応して記憶された顧客ＩＤに基づいて、待ち人数データが、待ち時間が所定時間以上あると想定できる予め定められた人数（例えば５人）以上の顧客ＩＤの通信アドレスに対して、提供情報データベース１７のデータのうちの一部を発信する。提供情報データベース１７は、上述したように、店舗の営業日の情報、ローン相談会等のイベント情報、投資商品等の資産運用商品、保険商品等のデータを記憶している。例えば、待ち人数データが予め定められた人数以上のすべての顧客ＩＤの通信アドレスに対して、提供情報データベース１７のデータのうちの一部である営業日の情報およびイベント情報等の一般的な情報を発信する。
【００７３】
また、待ち人数データが予め定められた人数（例えば１０人）以上の顧客ＩＤの通信アドレスに対して、提供情報データベース１７のデータのうちの顧客ＩＤに応じたデータを発信する。例えば、待ち人数データが予め定められた人数以上の顧客ＩＤの顧客情報を顧客情報データベース１６から読み出し、この顧客情報に含まれる個人情報や運用情報に応じて投資商品等の資産運用商品、保険商品等の中から選択してデータを送信する。
【００７４】
以上に述べた第１実施形態の受付番号発行システム１１によれば、受付番号発行機１２が携帯端末機１３に対して受付番号データと待ち人数データとを送信すると、携帯端末機１３が受付番号発行機１２から受信した受付番号データと待ち人数データとを表示する。つまり、携帯端末機１３と受付番号発行機１２とがリンクする受付番号発行システム１１となっている。よって、受付番号票を発券する場合と比べて用紙代やインク代等のランニングコストを低減できる。また、廃棄される使用済みの受付番号票を低減できるため、自然環境への影響も低減できる。
【００７５】
また、携帯端末機１３が顧客ＩＤを受付番号発行機１２に送信すると、受付番号発行機１２ではこの顧客ＩＤを受付番号データと関連付けて管理することになる。よって、来店した顧客の顧客ＩＤをいち早く店舗側で把握することができ、サービス向上に役立てることができる。
【００７６】
また、携帯端末機１３は、その端末機通信回路４５が、受付番号発行機１２の発行機通信回路２６に近接させられると発行機通信回路２６と無線通信可能となって受付番号発行機１２から、受付番号データと待ち人数データとを受信する。よって、携帯端末機１３を受付番号発行機１２に近接させるという簡単な操作で、携帯端末機１３は受付番号発行機１２から受付番号データと待ち人数データとを受信することができる。
【００７７】
また、携帯端末機１３は、その端末機通信回路４５が、受付番号発行機１２の発行機通信回路２６に近接させられると発行機通信回路２６と無線通信可能となって受付番号発行機１２に顧客ＩＤを送信する。よって、携帯端末機１３を受付番号発行機１２に近接させるという簡単な操作で、受付番号発行機１２は携帯端末機１３から顧客ＩＤを受信することができる。
【００７８】
また、受付番号発行機１２は、発行機通信回路２６で携帯端末機１３の端末機通信回路４５と無線で通信して携帯端末機１３から顧客ＩＤを受信すると、この顧客ＩＤと、この受信時点で受け付け待ちとなっている受付番号データとを関連付けて記憶し、この受付番号データを未処理の受付番号データ列に記憶するとともに、この受信時点での待ち人数データに１を加算する。受付番号発行機１２は、このように簡単な制御で、携帯端末機１３から受信した顧客ＩＤを管理して次の顧客ＩＤの受信に備えることになる。
【００７９】
また、受付窓口に設けられた呼出操作機１４に呼出操作がなされると、受付番号発行機１２が、未処理の受付番号データ列から一つの受付番号データを選択して受付番号呼出機１５に送信するとともに待ち人数データから１を減算する。受付番号呼出機１５は、受信した一つの受付番号データを、番号表示および音声呼び出しのうちの少なくともいずれか一方で報知する。これにより、この受付番号データが携帯端末機１３に表示されている顧客を、受付番号呼出機１５で呼び出すとともに呼び出しに応じて待ち人数データを減らすことができる。
【００８０】
また、呼出操作機１４で任意の受付番号データが入力されると、受付番号呼出機１５は、この入力された任意の受付番号データを番号表示および音声呼び出しのうちの少なくともいずれか一方で報知する。よって、受付順とは無関係に任意の受付番号データを優先して呼び出すことができる。
【００８１】
また、呼出操作機１４が、受付窓口毎に設けられているため、受付窓口毎に呼出操作が入力可能になり、窓口係員による呼出操作が容易となる。
【００８２】
また、受付番号呼出機１５が複数台配置されているため、顧客が受付番号の呼び出し表示を見逃してしまう可能性を低減できる。
【００８３】
また、発行機発信部２７が、未処理の受付番号データ列に対応して記憶された顧客ＩＤに基づいて、顧客情報データベース１６に記憶された通信アドレスに対して待ち人数データを発信するため、携帯端末機１３に最新の待ち人数データを表示させることができる。
【００８４】
また、待ち人数データが予め定められた人数に達した未処理の受付番号データに関連付けられた顧客ＩＤに基づいて通信アドレスを選択して待ち人数データを発信させることになるため、携帯端末機１３における更新された待ち人数データの受信の頻度を減らすことができる。
【００８５】
また、未処理の受付番号データ列に対応して記憶された顧客ＩＤに基づいて、待ち人数データが予め定められた人数以上の顧客ＩＤの通信アドレスに対して、提供情報データベース１７のデータの一部を発信するため、呼び出しを待っている顧客の携帯端末機１３に、提供情報データベース１７のデータの一部を表示させることができる。
【００８６】
また、未処理の受付番号データ列に対応して記憶された顧客ＩＤに基づいて、待ち人数データが予め定められた人数以上の顧客ＩＤの通信アドレスに対して、提供情報データベース１７のデータのうちの顧客ＩＤに応じた情報を発信するため、呼び出しを待っている顧客の携帯端末機１３に、提供情報データベース１７のデータの中から顧客ＩＤに応じたデータを表示させることができる。よって、呼び出しを待っている顧客の携帯端末機１３に、この顧客に合ったデータを表示させることができる。
【００８７】
ここで、第１実施形態において、受付番号発行機１２が複数設けられていても良い。この場合、複数の受付番号発行機１２は発行機制御部２８が相互に通信可能に設けられることになる。また、複数の受付番号発行機１２のうち、予め選択された１台が親機に、他は子機になって、マスタ・スレイブの関係となる。つまり、親機となる受付番号発行機１２は、親機となる受付番号発行機１２およびすべての子機となる受付番号発行機１２について、発行機通信回路２６で端末機通信回路４５と無線で通信して携帯端末機１３から受信した顧客ＩＤと、この受信時点で受け付け待ちとなっている受付番号データとを関連付けて記憶し、この受付番号データを未処理の受付番号データ列に記憶するとともに、この受信時点での待ち人数データに１を加算する制御を行う。親機となる受付番号発行機１２は、このように簡単な制御で、この親機および他の子機のすべてについての携帯端末機１３から受信した顧客ＩＤを管理して次の顧客ＩＤの受信に備えることになる。複数の受付番号発行機１２がそれぞれ携帯端末機１３から受信した顧客ＩＤを、１台の親機となる受付番号発行機１２で受付番号データに関連付けて記憶することができるため、システムコストを低減することができる。
【００８８】
また、受付番号発行機１２が複数設けられる場合、呼出操作機１４に呼出操作がなされると、親機となる受付番号発行機１２は、未処理の受付番号データ列から一つの受付番号データを選択して受付番号呼出機１５に送信するとともに待ち人数データから１を減算する制御を行い、受付番号呼出機１５は、受信したこの一つの受付番号データを、番号表示および音声呼び出しのうちの設定された少なくともいずれか一方で報知することになる。これにより、この受付番号データが携帯端末機１３に表示されている顧客を、受付番号呼出機１５で呼び出すとともに呼び出しに応じて待ち人数データを減らすことができる。
【００８９】
「第２実施形態」
本発明に係る第２実施形態の受付番号発行システム１１を主に図４，図５を参照して第１実施形態との相違部分を中心に以下に説明する。
【００９０】
第２実施形態では、図４に示すように、受付番号発行機１２と通信可能なパーソナルコンピュータからなる管理機６１が設けられている。この管理機６１は、係員による操作入力を受け付ける管理機操作部６２と、モニタ表示を行う管理機表示部６３と、音声を発生させる図５に示す管理機音声発生部６４と、携帯端末機１３の通信アドレスに対してデータを発信する管理機発信部６５（発信部）と、これらを制御する管理機制御部６６（発信制御部）とを有している。
【００９１】
受付番号発行機１２の発行機通信回路２６と携帯端末機１３の端末機通信回路４５とが無線通信可能な状態となると、携帯端末機１３は、端末機通信回路４５で発行機通信回路２６と無線で通信してＩＣチップ４７に記憶された顧客ＩＤを発行機制御部２８に送信する。すると、発行機制御部２８は、顧客ＩＤを管理機制御部６６に送信する。
【００９２】
このように受付番号発行機１２が発行機通信回路２６と端末機通信回路４５との無線通信でＩＣチップ４７から顧客ＩＤを受信すると、管理機制御部６６は、第１実施形態の発行機制御部２８と同様に、この顧客ＩＤと、この受信時点で受け付け待ちとなっている受付番号データとを関連付けて記憶し、この受付番号データを未処理の受付番号データ列に記憶し、この受信時点での受付番号データと待ち人数データとにそれぞれ１を加算する。管理機制御部６６は、これらの受付番号データと待ち人数データとを発行機通信回路２６で端末機通信回路４５と無線で通信して端末機制御部４６に送信する。
【００９３】
発行機制御部２８は、上記とは別に発行機操作部２１が操作されると、操作時点での受付番号データと待ち人数データとをプリンタ２４で用紙に印字して発券するとともに、これらの受付番号データと待ち人数データとを、管理機制御部６６に送信する。すると、管理機制御部６６は、この受付番号データを未処理の受付番号データ列に記憶して、これら受付番号データと待ち人数データとにそれぞれ１を加算する。
【００９４】
窓口係員によって呼出操作機１４に呼出操作がなされると、呼出操作機１４は、この呼出操作機１４の識別を含む操作信号を管理機６１の管理機制御部６６に送信する。すると、管理機制御部６６は、第１実施形態の発行機制御部２８と同様に、未処理の受付番号データ列から所定のルールで一つの受付番号データを選択して、この呼出操作機１４の識別に対応する受付番号呼出機１５に送信するとともに、この一つの受付番号データを未処理の受付番号データ列から削除し、待ち人数データから１を減算して更新する。すなわち、複数設けられた呼出操作機１４のうちのどの呼出操作機１４が操作されたのかが判るように、呼出操作機１４には個々に識別情報を持っており、その識別情報に基づいて、対応する受付番号呼出機１５に対して呼び出すべき受付番号データを送信する。
【００９５】
管理機制御部６６は、第１実施形態の発行機制御部２８と同様に、未処理の受付番号データ列を構成する未処理の受付番号データのそれぞれに対応記憶された顧客ＩＤの通信アドレスを、顧客情報データベース１６から読み出して、この通信アドレスつまり携帯端末機１３に、更新後の待ち人数データを管理機発信部６５から発信させる。
【００９６】
受付番号呼出機１５は、受信したこの一つの受付番号データを、番号表示部５１による番号表示および音声出力部５２による音声呼び出しのうちの設定された少なくともいずれか一方で報知する。
【００９７】
管理機６１の管理機制御部６６は、未処理の受付番号データ列に対応して記憶された顧客ＩＤに対応する顧客情報を顧客情報データベース１６から読み出し、受付番号データと待ち人数データと顧客情報とを関連付けて管理機表示部６３に表示させる。その際に、顧客情報に重要顧客であることを示す情報が含まれている場合に、管理機制御部６６は、この情報を例えば色を変えたり点滅させたりして、他の顧客情報と判別できるようにする。それとともに、管理機音声発生部６４で音声を発生させる。これにより、管理係員が重要顧客がいることを認識することになり、窓口係員に重要顧客の受付番号データを知らせる。すると、窓口係員は、呼出操作機１４に、この受付番号データを入力することになり、受付番号呼出機１５は、この受付番号データを、番号表示および音声呼び出しのうちの設定された少なくともいずれか一方で報知する。このようにして、重要顧客を優先的に呼び出すことができる。
【００９８】
管理機制御部６６は、第１実施形態の発行機制御部２８と同様、未処理の受付番号データ列に対応して記憶された顧客ＩＤに基づいて、待ち人数データが、待ち時間が所定時間以上あると想定できる予め定められた人数以上の顧客ＩＤの通信アドレスに対して、提供情報データベース１７のデータのうちの一部を発信することになり、必要により、顧客ＩＤに応じたデータを発信することになる。
【００９９】
以上に述べた第２実施形態の受付番号発行システム１１によれば、受付番号発行機１２が発行機通信回路２６と端末機通信回路４５との無線通信で携帯端末機１３から顧客ＩＤを受信すると、管理機６１は、この顧客ＩＤと、この受信時点で受け付け待ちとなっている受付番号データとを関連付けて記憶し、この受付番号データを未処理の受付番号データ列に記憶するとともに、この受信時点での待ち人数データに１を加算する。管理機６１は、このように簡単な制御で、携帯端末機１３から受信した顧客ＩＤを管理して次の顧客ＩＤの受信に備えることになる。
【０１００】
また、受付窓口に設けられた呼出操作機１４に呼出操作がなされると、管理機６１が、未処理の受付番号データ列から一つの受付番号データを選択して受付番号呼出機１５に送信するとともに待ち人数データから１を減算する。受付番号呼出機１５は、受信した一つの受付番号データを、番号表示および音声呼び出しのうちの少なくともいずれか一方で報知する。これにより、この受付番号データが携帯端末機１３に表示されている顧客を、受付番号呼出機１５で呼び出すとともに呼び出しに応じて待ち人数データを減らすことができる。
【０１０１】
また、未処理の受付番号データ列に対応して記憶された顧客ＩＤに基づいて、これら顧客ＩＤに対する受付番号データと顧客情報とを管理機６１の管理機表示部６３に表示させるため、この顧客情報に基づいて係員が個別に対応する等のサービスが可能になる。
【０１０２】
ここで、第２実施形態において、受付番号発行機１２が複数設けられていても良い。この場合、複数の受付番号発行機１２は発行機制御部２８がそれぞれ管理機６１の管理機制御部６６に通信可能に設けられることになる。
【０１０３】
この場合、複数の受付番号発行機１２のそれぞれについて、発行機通信回路２６と端末機通信回路４５との無線通信で携帯端末機１３から顧客ＩＤを受信すると、これらの顧客ＩＤの受付番号データとの関連付けおよび待ち人数データを、管理機６１によって一括して管理することが可能になる。
【０１０４】
以上の第１，第２実施形態において、顧客情報データベース１６および提供情報データベース１７は、受付番号発行機１２が設置される店舗に、受付番号発行機１２や管理機６１とは別に設けられている。しかしながら、顧客情報データベース１６および提供情報データベース１７の少なくとも一方が、受付番号発行機１２に設けられていても良く、第２実施形態においては、管理機６１に設けられていても良い。さらには、受付番号発行機１２が設置される店舗以外（例えば店舗群を統括する管理部署）に設けられていても良い。発信部を、第２実施形態において、受付番号発行機１２に設けて発行機制御部２８で制御しても良い。さらには、発信部および発信制御部を、受付番号発行機１２が設置される店舗に受付番号発行機１２や管理機６１とは別に設けても良く、受付番号発行機１２が設置される店舗以外（例えば店舗群を統括する管理部署）に設けても良い。さらには、以上の第１，第２実施形態において、顧客ＩＤを、金融機関の口座の開設にあたって、金融機関側で設定すると説明したが、これに限るものではなく、顧客が、携帯端末機１３を用いて例えば金融機関のホームページにインターネット経由でアクセスし、予めこのホームページからインターネット経由でアプリケーションプログラムを携帯端末機１３にダウンロードし記憶した際に、さらに顧客認証を受けた上で、金融機関側から顧客ＩＤを受け取るか、または、重複しないデータであることを条件に、顧客側から入力したデータを顧客ＩＤとして設定しても良く、このようにして取得・確定した顧客ＩＤは、端末機制御部４６および端末機通信回路４５のＩＣチップ４７に記憶される。
【符号の説明】
【０１０５】
１１  受付番号発行システム
１２  受付番号発行機
１３  携帯端末機
１４  呼出操作機
１５  受付番号呼出機
１６  顧客情報データベース
１７  提供情報データベース
２６  発行機通信回路
２７  発行機発信部（発信部）
２８  発行機制御部（発信制御部）
４５  端末機通信回路
６５  管理機発信部（発信部）
６６  管理機制御部（発信制御部）
【図１】
0006376691.tif 000002
【図２】
0006376691.tif 000003
【図３】
0006376691.tif 000004
【図４】
0006376691.tif 000005
【図５】
0006376691.tif 000006